【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を停止させ、前記複数の図柄列の変動停止後に前記表示部が前記抽選により当選した役に応じた表示状態となった場合に当該役を入賞とする遊技機であって、
前記変動開始指示の入力に基づいて計時を開始する計時手段と、
前記計時手段による計時時間が予め設定された時間を超えた場合に、前記複数の図柄列は、最終に停止する図柄列を除き、前記抽選結果に基づいて停止制御し、前記最終に停止する図柄列は、前記抽選結果に拘らず前記変動停止後の前記表示部が何れの役にも入賞しない表示状態となるように前記図柄列の変動表示を前記変動停止指示によらず強制的に停止させる強制停止手段と、
前記強制停止制御手段による前記変動表示の停止時に、前記変動表示を強制停止させる旨を報知する報知手段と、
を備えた遊技機。
【請求項２】
前記計時手段による計時時間が予め設定された時間を超えた場合に、前記強制停止手段の作動に先立ち前記変動停止指示の入力を無効にする無効化手段をさらに備えたことを特徴とする請求項１記載の遊技機。
【請求項３】
遊技の進行状況に応じて演出手段を制御して演出を実行する演出制御手段をさらに備えたことを特徴とする請求項１又は２記載の遊技機。
【請求項４】
前記演出制御手段は、表示手段を用いて演出制御を実行し、
前記報知手段は、前記表示手段に前記変動表示を強制的に停止させる旨を示す伝言を表示する
ことを特徴とする請求項３記載の遊技機。
【請求項５】
前記演出制御手段は、前記表示手段を用いて前記抽選した役に係る演出を実行し、前記報知手段は、前記報知手段は、前記演出制御手段によって制御され、前記表示手段に表示されている演出を中止して前記変動表示を強制停止させる旨を報知することを特徴とする請求項４記載の遊技機。
【手続補正２】
【補正対象書類名】明細書
【補正対象項目名】００１４
【補正方法】変更
【補正の内容】
【００１４】
上記課題を解決するために、本発明は、複数個の図柄を配列した複数の図柄列を変動表示可能な表示部を有し、変動開始指示に応じて役の抽選を行うと共に前記表示部における図柄列の変動表示を開始し、各図柄列に対してそれぞれ入力される変動停止指示に基づいて前記各図柄列の変動表示を停止させ、前記複数の図柄列の変動停止後に前記表示部が前記抽選により当選した役に応じた表示状態となった場合に当該役を入賞とする遊技機であって、前記変動開始指示の入力に基づいて計時を開始する計時手段と、前記計時手段による計時時間が予め設定された時間を超えた場合に、前記複数の図柄列は、最終に停止する図柄列を除き、前記抽選結果に基づいて停止制御し、前記最終に停止する図柄列は、前記抽選結果に拘らず前記変動停止後の前記表示部が何れの役にも入賞しない表示状態となるように前記図柄列の変動表示を前記変動停止指示によらず強制的に停止させる強制停止手段と、前記強制停止制御手段による前記変動表示の停止時に、前記変動表示を強制停止させる旨を報知する報知手段と、を備えている。
【手続補正３】
【補正対象書類名】明細書
【補正対象項目名】００１５
【補正方法】変更
【補正の内容】
【００１５】
本発明によれば、変動開始指示に応じて役の抽選が実行されると共に複数の図柄列の変動表示が開始される。その後に、各図柄列の変動表示が各図柄列に対してそれぞれ入力される変動停止指示に基づいて停止され、前記複数の図柄列の変動停止後、表示部が前記抽選により当選した役に応じた表示状態となった場合に入賞となる。
【手続補正４】
【補正対象書類名】明細書
【補正対象項目名】００１６
【補正方法】変更
【補正の内容】
【００１６】
ここで、本発明では、変動開始指示の入力に基づいて計時手段により計時が開始され、この計時時間が予め設定された時間を超えた場合に、前記抽選結果に拘らず前記変動停止後の前記表示部が何れの役にも入賞しない表示状態となるように前記図柄列の変動表示が前記変動停止指示によらず強制的に停止される。これにより、入賞するためには変動停止指示の入力が必須となり、遊技の公平性及び遊技性を担保することができる。
【手続補正５】
【補正対象書類名】明細書
【補正対象項目名】００１７
【補正方法】変更
【補正の内容】
【００１７】
さらに、本発明では、前記強制停止制御手段による前記変動表示の停止時に、報知手段によりその旨が報知されるので、強制停止制御手段による変動表示の停止中に遊技者が変動停止指示を入力した場合であっても、強制的に停止された旨を遊技者が把握することができるので、遊技者の誤解を招くことがない。
【手続補正６】
【補正対象書類名】明細書
【補正対象項目名】００１８
【補正方法】変更
【補正の内容】
【００１８】
したがって、遊技の公平性及び遊技性を担保しつつ、遊技者が誤解することを防止できる。
更に、前記計時手段による計時時間が予め設定された時間を超えた場合に、前記強制停止手段の作動に先立ち前記変動停止指示の入力を無効にする無効化手段を備える構成とすることができる。
無効化手段を更に備えることにより、変動停止指示の入力を強制停止手段の作動に先立ち無効化手段が無効化することで、強制停止制御をより円滑に行うことができる。
【手続補正７】
【補正対象書類名】明細書
【補正対象項目名】００１９
【補正方法】変更
【補正の内容】
【００１９】
また、遊技の進行状況に応じて演出手段を制御して演出を実行する演出制御手段をさらに備えた構成とすることができる。
【手続補正８】
【補正対象書類名】明細書
【補正対象項目名】００２０
【補正方法】変更
【補正の内容】
【００２０】
この演出制御手段を備えることにより、既に実行中の報知演出の内容と遊技の結果とが一致しないことになった原因を演出手段を用いた演出により遊技者に把握させることができるので、ソフト上のバグによる報知演出の間違いか、あるいは特別な意味のある（大役に当選していることを示す）報知演出か、と、遊技者が誤解することを防止できる。
【手続補正９】
【補正対象書類名】明細書
【補正対象項目名】００２１
【補正方法】変更
【補正の内容】
【００２１】
また、前記演出制御手段は、表示手段を用いて演出制御を実行し、前記報知手段は、前記表示手段に前記変動表示を強制的に停止させる旨を示す伝言を表示する構成とすることができる。
【手続補正１０】
【補正対象書類名】明細書
【補正対象項目名】００２２
【補正方法】変更
【補正の内容】
【００２２】
かかる構成により、演出が実行されている表示手段に、変動表示を強制的に停止させる旨を示す伝言が表示されるので、実行中の演出と遊技の結果とが一致しない理由が確実に遊技者に伝わる可能性が高くなる。
【手続補正１１】
【補正対象書類名】明細書
【補正対象項目名】００２３
【補正方法】変更
【補正の内容】
【００２３】
さらに、前記演出制御手段は、前記表示手段を用いて前記抽選した役に係る演出を実行し、前記報知手段は、前記報知手段は、前記演出制御手段によって制御され、前記表示手段に表示されている演出を中止して前記変動表示を強制停止させる旨を報知する構成とすることができる。
【手続補正１２】
【補正対象書類名】明細書
【補正対象項目名】００２４
【補正方法】変更
【補正の内容】
【００２４】
かかる構成により、報知手段は、変動表示を強制停止させる旨の報知を行うにあたり、表示手段に表示されている演出を中止するので、強制停止が実行される旨を遊技者により分かり易く伝えることができる。